(57)【特許請求の範囲】
【請求項１】
映像光を投影する映像投影装置と、
前記映像投影装置から投影される映像光とは別の位置から照明光を発する照明装置と、
少なくとも照明装置の照明範囲を含むように設けられ、第１面が入射した照明光を透過し、当該第１面の裏面である第２面が入射した映像光を再帰性反射する再帰性反射材料を有するスクリーンと、
前記スクリーンに対する映像光の入射角又は前記スクリーンに対する映像光の反射角を変更する映像角度変更部と
を備えたことを特徴とする映像表示システム。
【請求項２】
前記映像角度変更部は、前記スクリーンの第２面に設けた異方性拡散板であることを特徴とする請求項１に記載の映像表示システム。
【請求項３】
前記映像角度変更部は、前記スクリーンの第２面に設けた透過光の方向を変化させる変角板であることを特徴とする請求項１に記載の映像表示システム。
【請求項４】
前記映像角度変更部は、前記スクリーンとの間に設けたハーフミラーであることを特徴とする請求項１に記載の映像表示システム。
【請求項５】
前記スクリーンの第１面に、拡散板を設けたことを特徴とする請求項１乃至請求項４の何れか一項に記載の映像表示システム。
【請求項６】
前記照明装置から発せられる照明光の色又は輝度の少なくとも一方を変更する照明変更部を備えたことを特徴とする請求項１乃至請求項５の何れか一項に記載の映像表示システム。
【請求項７】
前記照明変更部は、前記映像投影装置から投影される映像に応じて前記照明光の色又は輝度を制御することを請求項６に記載の映像表示システム。
【請求項８】
請求項１乃至請求項７の何れか一項に記載の映像表示システムに用いられ、
第１面が入射した照明光を透過し、当該第１面の裏面である第２面が入射した映像光を再帰性反射する再帰性反射材料を有する映像表示機能付き照明装置。
【発明の詳細な説明】
【技術分野】
【０００１】
本発明は、映像表示システム、照明装置に関する。
【背景技術】
【０００２】
従来より、映像表示機能と照明機能とを組み合わせた技術が、下記の特許文献１などにて知られている。
【０００３】
しかし、映像は、それ自体が光であるため、照明光とは競合することとなる。特に室内で明瞭な映像を表示するために映像表示機能により高輝度で映像を表示すると、周囲に映像光の影響が間接光又は直接光として及んでしまう。このため、映像光によって、照明機能が意図する照明空間を損なうといった問題がある。
【０００４】
また、室内に複数の人がいる場合、他人の見る映像光が気にならないようにするためには、映像を見る際に頭部搭載型ディスプレイや眼内（網膜）投影型ディスプレイを使用するなどの工夫が必要となり、煩わしい。
【０００５】
更に、映像光の明るさと周囲の明るさとの間に大きな差があると、疲労を感じたり、映像のリアル感が損なわれるという問題も知られており、映像と周囲の照明をうまく整合することが求められる。
【０００６】
特許文献１には、映像表示機能と照明機能を複合した装置が記載されている。この特許文献１には、ビデオディスプレイを信号源として用いる周辺光用の能動フレームシステムと、そこに先行技術として記載されている周辺光をビデオディスプレイに付加する装置とが記載されている。
【０００７】
また、特許文献２には、光を透過する再帰性反射材を用いて、背面からの透過光と前面からの再帰性反射光を合成した映像を利用する技術が記載されている。
【０００８】
更に、特許文献３には、再帰性反射性を有するスクリーンの前面に光学異方性を有する層を付加することにより、映像の観察範囲を変更する技術が記載されている。
【０００９】
更にまた、特許文献４には、透明な再帰性反射材の背面から照明し、前面からは映像を投影する技術が記載されている。
【００１０】
更に、映像を投影するスクリーンではないものの、微細なスリットを並べて映像の観察位置を制限するものとして、映像表示装置の前面に装着する覗き見防止フィルタが知られている。
【先行技術文献】
【特許文献】
【００１１】
【特許文献１】特表２００８−５０５３５０号公報
【特許文献２】特開２００８−１５３５９号公報
【特許文献３】特開２００８−２４９８９７号公報
【特許文献４】特開２００５−７９７７３号公報
【発明の概要】
【発明が解決しようとする課題】
【００１２】
上述した特許文献に記載された技術のうち、特許文献１に記載された技術によれば、映像に対応して周囲の明るさを調節することは可能である。しかし、室内の照明空間に対する映像光の影響を低減することはできない。このため、照明機能の意図した照明空間を損なうという問題は解決できない。
【００１３】
また、特許文献２に記載された技術では、背面からの光の影響をコントロールして、映像の観察者に対して、背景を重畳した映像を表示している。しかし、映像光の影響を低減しつつ、映像を見ない非観察者をも含め、照明機能の意図した照明空間を提供することはできない。
【００１４】
更に、特許文献３に記載された技術は、照明機能による背面からの透過光を利用するものではなく、映像と照明空間をうまく整合することができない。
【００１５】
更にまた、特許文献４に記載された技術は、自然な色調および陰影関係を維持して背景を合成することのできる被写体映像を撮影でき、映像と周囲の照明を整合することが可能である。しかし、この技術を実現するためには、装置構成が複雑になるという問題がある。
【００１６】
なお、覗き見防止フィルタを映像表示部に重ねることで、他人の見る映像による光を気にならなくしようとした場合、映像光のうちの直接光の影響は低減できる。しかし、覗き見防止フィルタを映像表示部に重ねるだけでは間接光の影響は低減できず、一方で背面からの照明光の配向を極端に制限してしまうという問題がある。
【００１７】
そこで、本発明は、上述した実情に鑑みて提案されたものであり、簡単な構成でありながら、投影された映像光と照明光との競合を低減でき、且つ照明空間を損なわない映像表示システム、映像表示機能付き照明装置を提供することを目的とする。
【課題を解決するための手段】
【００１８】
本発明に係る映像表示システムは、映像光を投影する映像投影装置と、前記映像投影装置から投影される映像光とは別の位置から照明光を発する照明装置と、少なくとも照明装置の照明範囲を含むように設けられ、第１面が入射した照明光を透過し、当該第１面の裏面である第２面が入射した映像光を再帰性反射する再帰性反射材料を有するスクリーンと、前記スクリーンに対する映像光の入射角又は前記スクリーンに対する映像光の反射角を変更する映像角度変更部とを備える。
【００２０】
本発明に係る映像表示システムにおいて、映像角度変更部は、スクリーンの第２面に設けた異方性拡散板であっても良い。
【００２１】
本発明に係る映像表示システムにおいて、映像角度変更部は、スクリーンの第２面に設けた透過光の方向を変化させる変角板であっても良い。
【００２２】
本発明に係る映像表示システムにおいて、映像角度変更部は、スクリーンとの間に設けたハーフミラーであっても良い。
【００２３】
本発明に係る映像表示システムは、スクリーンの第１面に、拡散板を設けることが望ましい。
【００２４】
本発明に係る映像表示システムは、照明装置から発せられる照明光の色又は輝度の少なくとも一方を変更する照明変更部を備えていることが望ましい。
【００２５】
本発明に係る映像表示システムにおいて、照明変更部は、映像投影装置から投影される映像に応じて照明光の色又は輝度を制御することが望ましい。
【００２６】
本発明に係る映像表示機能付き照明装置は、上述した何れかに記載の映像表示システムに用いられ、第１面が入射した照明光を透過し、当該第１面の裏面である第２面が入射した映像光を再帰性反射する再帰性反射材料を有する。
【発明の効果】
【００２７】
本発明に係る映像表示システムによれば、第１面が入射した照明光を透過し、当該第１面の裏面である第２面が入射した映像光を再帰性反射する再帰性反射材料を有するスクリーンを備えるので、簡単な構成でありながら、投影された映像光と照明光との競合を低減でき、且つ、照明空間を損なわない効果を発揮できる。すなわち、この映像表示システムによれば、ある範囲に位置する利用者には映像を提示しながら、それ以外の位置に対しては映像の影響の無い照明光を発することができる。
【００２８】
本発明に係る映像表示システムによれば、スクリーンに対する映像光の入射角と、スクリーンに対する映像光の反射角とを変更するので、映像を見るときの視点の自由度を高めることができる。
【００２９】
本発明に係る映像表示システムによれば、異方性拡散板によって映像が観賞できる範囲を広げて、映像を見るときの自由度を高めることができる。
【００３０】
本発明に係る映像表示システムによれば、スクリーンの第２面に設けた透過光の方向を変化させる変角板を備えるので、変角板の変角度や向きによって、映像が観察できる位置を変化させることができ、映像を見るときの自由度を高めることができる。
【００３１】
本発明に係る映像表示システムによれば、スクリーンとの間にハーフミラーを設けたので、ハーフミラーの位置及び向きを変更することにより、映像の映像が観賞できる範囲を変化させることができる。
【００３２】
本発明に係る映像表示システムによれば、スクリーンの第１面に拡散板を設けたので、光源が点光源の場合のように、照明光にスポット的に照度が高い部分があっても、当該照明光を拡散板が一様に拡散して、照明光の不均一性が映像に影響を与えることはない。
【００３３】
本発明に係る映像表示システムによれば、照明装置から発せられる照明光の色又は輝度の少なくとも一方を変更する照明変更部を備えたので、映像観察者に対して映像を提示すると共に、照明としての周辺光を整合して提示することができる。
【００３４】
本発明に係る映像表示システムによれば、映像投影装置から投影される映像に応じて照明光の色又は輝度を制御するので、映像の内容に応じて、当該映像の臨場感を高めるように照明光の色、輝度を自動的に制御することができる。
【００３５】
本発明に係る映像表示機能付き照明装置によれば、上述した何れかに記載の映像表示システムに用いられ、第１面が入射した照明光を透過し、当該第１面の裏面である第２面が入射した映像光を再帰性反射する再帰性反射材料を有するので、簡単な構成でありながら、投影された映像光と照明光との競合を低減でき、且つ、照明空間を損なわない効果を発揮できる。すなわち、この映像表示機能付き照明装置によれば、ある範囲に位置する利用者には映像を提示しながら、それ以外の位置に対しては映像の影響の無い照明光を発することができる。
【図面の簡単な説明】
【００３６】
【図１】本発明の第１実施形態として示す映像表示システムの概略構成を示す斜視図である。
【図２】本発明の第１実施形態として示す映像表示システムにおける映像表示機能付き照明装置の構成を示す断面図である。
【図３】本発明の第１実施形態として示す映像表示システムの機能的な構成を示すブロック図である。
【図４】本発明の第１実施形態として示す映像表示システムにおける再帰性反射層の構成を示す断面図である。
【図５】本発明の第２実施形態として示す映像表示システムの概略構成を示す斜視図である。
【図６】本発明の第２実施形態として示す映像表示システムにおける映像表示機能付き照明装置の構成を示す断面図である。
【図７】本発明の第３実施形態として示す映像表示システムの概略構成を示す斜視図である。
【図８】本発明の第３実施形態として示す映像表示システムにおける映像表示機能付き照明装置の構成を示す断面図である。
【図９】本発明の第４実施形態として示す映像表示システムの概略構成を示す斜視図である。
【図１０】本発明の第４実施形態として示す映像表示システムにおける映像表示機能付き照明装置の構成を示す断面図である。
【図１１】本発明の第５実施形態として示す映像表示システムにおける映像表示機能付き照明装置の構成を示す断面図である。
【発明を実施するための形態】
【００３７】
以下、本発明の実施の形態について図面を参照して説明する。
【００３８】
［第１実施形態］
本発明の第１実施形態として示す映像表示システムは、例えば図１に示すように構成される。映像表示システムは、照明機能と映像表示機能とを備えた映像表示機能付き照明装置１と、投影光２ａである映像光を投影する映像投影装置としてのプロジェクタ２とを含む。映像表示システムは、図１に示す例において、映像観察者Ｐ１，非観察者Ｐ２がそれぞれ横たわるベッドがある寝室に設けられている。この映像表示機能付き照明装置１は、例えば寝室の天井に設置した大型のシーリングライトを用いることができる。
【００３９】
映像表示機能付き照明装置１は、再帰性反射層１２が設けられたスクリーン１１を備える。映像表示機能付き照明装置１は、スクリーン１１を介して寝室内に、照明光１ａを発する。これにより、映像表示機能付き照明装置１は、寝室内の光源として所望の明るさ、色合いの照明空間を実現する。
【００４０】
映像表示機能付き照明装置１におけるスクリーン１１は、図２に示すように、照明装置である光源３の照明範囲に設けられる。このスクリーン１１は、少なくとも光源３の照明範囲を含むように設けられていれば良く、スクリーン１１は、光源３の照明範囲よりも大きなサイズであっても良い。スクリーン１１は、第１面が入射した照明光１ａを透過し、当該第１面の裏面である第２面が入射した投影光２ａ（映像光）を再帰性反射する再帰性反射層１２を有する。
【００４１】
プロジェクタ２は、光源としてＬＥＤ（Light Emitting Diode）を用いた小型のものを用いることができる。プロジェクタ２は、図１及び図２に示すように、映像観察者Ｐ１の視点付近に設けられる。なお、プロジェクタ２は、映像観察者Ｐ１の視点付近に設けているが、このプロジェクタ２は、映像観察者Ｐ１により移動可能なものである。したがって、映像観察者Ｐ１は、自身の近くにプロジェクタ２を置けば良い。なお、この実施形態において、プロジェクタ２は一台であるが、更に複数の者が映像を観賞するために、各人についてプロジェクタ２を設けても良い。これにより、再帰性反射層１２の特徴を生かして、複数の観察者それぞれに別々の映像を提示することや、その特殊な例として左右の眼の位置に対応する２つのプロジェクタを用いて立体映像を提示することも可能である。
【００４２】
プロジェクタ２から発せられた投影光２ａは、スクリーン１１における再帰性反射層１２に対して投影される。これにより、図２に示すように、映像観察者Ｐ１の視点付近にのみ、再帰性反射層１２にて投影光２ａが反射される。なお、照明光１ａは、寝室全体に散乱する。
【００４３】
このような映像表示システムは、その機能的な構成を図３に示す。映像表示システムは、映像表示機能付き照明装置１と、映像データ記憶部２１と、表示制御部２２と、プロジェクタ２とを有する。
【００４４】
映像表示機能付き照明装置１は、光源３とスクリーン１１とを含む。光源３は、蛍光灯、白熱灯、ＬＥＤ、蛍光灯とＬＥＤの組み合わせ、白熱灯とＬＥＤの組み合わせ、有機ＥＬ（エレクトロ・ルミネッセンス）を用いたものなどにより構成される。光源３は、スイッチ操作又はリモコン操作に従ってオン、オフが切り替えられる。光源３から発せられた照明光１ａは、スクリーン１１を透過して、寝室全体に散乱する。照明光１ａが、スクリーン１１を透過し、壁面等からの反射により、適度な照度と色合いの寝室内の照明空間が形成される。光源３は、当該光源３の状態を制御するための照明変更部３１を含む。
【００４５】
この映像表示機能付き照明装置１における再帰性反射層１２は、例えば図４のように構成される。再帰性反射層１２は、図４（Ａ）に示すように、微小なマイクロプリズム１２ａを多数備えたものである。このマイクロプリズム１２ａは、底面がスクリーン１１の表面（第２面）に向けられた三角錐形状となっている。マイクロプリズム１２ａは、プロジェクタ２から発せられた投影光２ａを内面にて反射して、当該投影光２ａの出射方向に導く。
【００４６】
また、他の再帰性反射層１２は、図４（Ｂ）に示すように、微小な球型のマイクロビーズ１２ｂを多数備えたものであっても良い。マイクロビーズ１２ｂは、プロジェクタ２から発せられた投影光２ａを内面にて反射して、当該投影光２ａの出射方向に導く。更に他の再帰性反射層１２は、図４（Ｃ）に示すように、微小な球型のマイクロビーズ１２ｂにおける光源３側に対して反射膜１２ｃを施したものであっても良い。この再帰性反射層１２は、プロジェクタ２から発せられた投影光２ａを反射膜１２ｃにて反射して、当該投影光２ａの出射方向に導く。
【００４７】
映像データ記憶部２１は、映像観察者Ｐ１が観賞する映像の映像データを記憶する。表示制御部２２は、映像データ記憶部２１に記憶された映像データを再生し、プロジェクタ２に供給する。映像データ記憶部２１及び表示制御部２２は、例えば、ＤＶＤ（Digital Video Disc／Digital Versatile Disc）・ＨＤＤ（Hard Disc Drive）レコーダ、パーソナルコンピュータ等からなる。
【００４８】
以上説明したように、映像表示システムは、少なくとも光源３の照明範囲を含むように設けられ、スクリーン１１の第１面（スクリーン１１の裏面）が入射した照明光１ａを透過する。一方、映像表示システムは、当該スクリーン１１の第１面の裏面である第２面（スクリーン１１の表面）が入射した映像光（投影光２ａ）を再帰性反射する再帰性反射層１２を有する。これにより、プロジェクタ２に近い所定の範囲に視点がある映像観察者Ｐ１に対しては、映像を提示し、同時に、それ以外の位置を視点とする非観察者Ｐ２に対しては映像の影響の無い照明光１ａを発する照明器具となる映像表示機能付き照明装置１を実現できる。これにより、簡単な構成でありながら、投影された投影光２ａと照明光１ａとの競合を低減でき、映像と周囲の照明をうまく整合することにより照明空間を損なわない映像表示システム、映像表示機能付き照明装置を提供できる。
【００４９】
ここで、プロジェクタ２近傍の映像観察者Ｐ１から映像表示機能付き照明装置１を見上げたときに、投影光２ａは、通常のスクリーンに映像を投影することに対して数１０倍〜１０００倍程度に相当する明るさで表示される。このため、照明光１ａに対して充分な明るさで、映像表示機能付き照明装置１の表面に投影された映像を大画面で観察できる。
【００５０】
一方、非観察者Ｐ２のように他の位置や他の方向から映像表示機能付き照明装置１を見上げても、単なる照明装置（シーリングライト）にしか見えない。また、プロジェクタ２からの投影光２ａは再帰性反射層１２により周囲への散乱が抑えられる。更に、映像表示システムは、光量としても照明光１ａに比べて充分に小さくできるため、映像の明暗が変化しても、寝室内の照明光１ａによる照度や色合いは殆ど変化しない。また、映像観察者Ｐ１の視野全体に対する照明光１ａによる照度と色合いに関しては、映像の周辺に映像表示機能付き照明装置１自体の光があるため、映像の明暗の変化による影響が緩和される。
【００５１】
また、第１実施形態に係る映像表示システムは、映像表示機能付き照明装置１における光源３から発せられる照明光１ａの色又は輝度の少なくとも一方を変更する照明変更部３１を備えている。これにより、映像表示システムは、映像観察者Ｐ１に対して映像を提示すると共に、照明としての周辺光を整合して提示することができる。すなわち、映像観察者Ｐ１が映像を見ているときに、照明光１ａによる周辺光により違和感を与えることを回避するよう照明光１ａの色、輝度を変更することができる。このとき、映像表示システムは、図示しないリモコン等の操作に応じて、光源３からの照明光１ａを調光可能とする。
【００５２】
更に、第１実施形態に係る映像表示システムは、照明変更部３１が、プロジェクタ２から投影される映像（投影光２ａ）に応じて照明光１ａの色又は輝度を自動的に制御することが望ましい。これにより、映像表示システムは、映像の内容に応じて、当該映像の臨場感を高めるように照明光１ａの色、輝度を自動的に制御する。このとき、照明変更部３１は、例えば映像がテレビジョン放送番組である場合には、汎用回線を介して配信されている番組ガイド情報をダウンロードして、映像の内容（色合い、明るさ、当該色合い及び明るさの変化率、変化速度）を基準として、当該映像の内容に応じて照明光１ａの色、輝度を制御する。更に具体的には、照明変更部３１は、予めアニメやアクションなどの映像内容に適切な照明情報（色合い、輝度）の設定値を登録しておき、認識した映像内容に合わせて、照明情報の設定値を切り替えればよい。
【００５３】
［第２実施形態］
つぎに、第２実施形態に係る映像表示システムについて説明する。なお、上述の第１実施形態と同様の部分については同一符号を付することによりその詳細な説明を省略する。
【００５４】
第２実施形態として示す映像表示システムは、図５に示すように、映像を見ることができる範囲１００を、第１実施形態として示した映像表示システムよりも広くしたものである。この映像表示システムは、図６に示すように、映像表示機能付き照明装置１におけるスクリーン１１の映像観察者Ｐ１側に、映像角度変更部としての異方性拡散板１３を備えている。この映像角度変更部は、スクリーン１１に対する映像光（投影光２ａ）の入射角又はスクリーン１１に対する映像光（投影光２ａ）の反射角を変更するものである。この異方性拡散板１３は、再帰性反射層１２の第２面（表面）にベッドの長手方向に対して、投影光２ａの拡散角度を広げるような向きに設置される。
【００５５】
これにより、プロジェクタ２から発せられた投影光２ａは、再帰性反射層１２により再帰性反射されると共に、異方性拡散板１３により拡散される。これにより、映像表示システムは、異方性拡散板１３により投影光２ａの反射角度を変更して、上述した第１実施形態よりも広い映像観賞可能範囲１００を実現することができる。なお、異方性拡散板１３を再帰性反射層１２と密着あるいは一体化成型することも可能である。
【００５６】
ここで、寝室内は映像表示機能付き照明装置１内からの照明光１ａ及び当該照明光１ａの壁面答からの反射により適度な照度と色合いが保たれている。そして、映像観察者Ｐ１は、ベッド（の長手方向）に寝た状態から、映像表示機能付き照明装置１を見上げると、再帰性反射によりプロジェクタ２からの投影映像を、通常のスクリーンへの投影に対して数１０倍程度に相当する明るさで見ることができる。なお、第１実施形態と比較して、異方性拡散板１３による拡散により、映像の明るさは低下する。それでも、照明光１ａに対して充分な明るさで、映像表示機能付き照明装置１の表面に投影された映像を大画面で観察できる。
【００５７】
これに対し、非観察者Ｐ２など他の位置や他の方向から映像表示機能付き照明装置１を見上げても、単なる照明装置（シーリングライト）にしか見えない。また、プロジェクタ２からの投影光２ａは再帰性反射により周囲への散乱が抑えられる。更に、投影光２ａは、光量としても照明光１ａに比べて充分に小さくできるため、映像の明暗が変化しても、寝室内の照度や色合いの変化は少ない。また、映像観察者Ｐ１の視野全体に対する照度と色合いに関しては、映像の周辺に映像表示機能付き照明装置１自体の光があるため、映像の明暗の変化による影響が緩和される。
【００５８】
以上のように第２実施形態として示した映像表示システムによれば、第１実施形態の効果に加えて、スクリーン１１に対する投影光２ａの反射角を変更するので、映像を見るときの視点の自由度を高めることができる。
【００５９】
また、第２実施形態として示した映像表示システムによれば、第１実施形態の効果に加えて、異方性拡散板１３によって映像観賞可能範囲１００を広げて、映像を見るときの自由度を高めることができる。
【００６０】
［第３実施形態］
つぎに、第３実施形態に係る映像表示システムについて説明する。なお、上述の実施形態と同様の部分については同一符号を付することによりその詳細な説明を省略する。
【００６１】
第３実施形態として示す映像表示システムは、図７及び図８に示すように、映像角度変更部を、スクリーン１１の第２面に設けた透過光（投影光２ａ）の方向を変化させる変角板１４で構成したものである。この変角板１４は、映像表示機能付き照明装置１におけるスクリーン１１の映像観察者Ｐ１側に、スクリーン１１に対する映像光（投影光２ａ）の反射角を変更する映像角度変更部として備えられる。なお、変角板１４を再帰性反射層１２と密着あるいは一体化成型することも可能である。この映像表示システムは、図７に示すように、映像表示機能付き照明装置１のスクリーン１１における映像観察者Ｐ１側が平面となっている。
【００６２】
変角板１４は、図８に示すように、再帰性反射層１２の第２面（スクリーン１１の表面）に対して取り付けられている。これにより、図中の点線で示すようにスクリーン１１に対して入射された投影光２ａが、再帰性反射層１２及び変角板１４により反射されて、反射方向が変更された投影光２ａ’となる。これにより、映像観察者Ｐ１に対して映像を提示することができる。
【００６３】
ここで、寝室内は、映像表示機能付き照明装置１による光源３からの照明光１ａ及び壁面などからの反射により適度な照度と色合いに保たれている。この状態にて、映像観察者Ｐ１は、ベッドに寝て映像表示機能付き照明装置１を見上げると、再帰性反射によりプロジェクタ２からの投影映像を、通常のスクリーンへの投影に対して数１０〜数１００倍程度に相当する明るさで見ることができる。このため、照明光１ａに対して充分な明るさで、映像表示機能付き照明装置１の表面に投影された映像を大画面で観察できる。
【００６４】
これに対し、非観察者Ｐ２といった他の位置や他の方向から映像表示機能付き照明装置１を見上げても、単なる照明装置（シーリングライト）にしか見えない。また、映像観察者Ｐ１の視野全体に対する照度と色合いに関しては、映像の周辺に映像表示機能付き照明装置１自体の光があるため、映像の明暗の変化による影響が緩和される。
【００６５】
以上のように映像表示システムによれば、第１実施形態の効果に加えて、プロジェクタ２の位置と変角板１４の変角度や向きによって、映像の観察可能位置を変化させることができ、映像を見るときの自由度を高めることができる。
【００６６】
［第４実施形態］
つぎに、第４実施形態に係る映像表示システムについて説明する。なお、上述の実施形態と同様の部分については同一符号を付することによりその詳細な説明を省略する。
【００６７】
第４実施形態として示す映像表示システムは、図９及び図１０に示すように、スクリーン１１に対する映像光（投影光２ａ）の入射角を変更する映像角度変更部を、スクリーン１１との間に設けたハーフミラー１５で構成したものである。
【００６８】
ハーフミラー１５は、プロジェクタ２と映像表示機能付き照明装置１との間であって、映像観察者Ｐ１の視点位置と映像表示機能付き照明装置１との間に設けられる。ハーフミラー１５は、プロジェクタ２から発せられた投影光２ａを映像表示機能付き照明装置１に向けて反射すると共に、映像表示機能付き照明装置１により反射された投影光２ａを映像観察者Ｐ１側に透過する。この映像表示システムにおいて、プロジェクタ２の位置と、ハーフミラー１５の位置及び向きを変更することにより、映像の映像観賞可能範囲１００を変化させることができる。
【００６９】
なお、ハーフミラー１５とプロジェクタ２の設置方法やハーフミラー１５の形状については、同じ発明者により出願された特開２００６−１１３４７６号公報、特開２００６−２７６２９２号公報に記載された技術を用いることができる。
【００７０】
ここで、寝室内は、映像表示機能付き照明装置１内からの照明光１ａ及び壁面などからの反射により適度な照度と色合いに保たれている。映像観察者Ｐ１は、ベッドに寝てハーフミラー１５を介して、映像表示機能付き照明装置１における再帰性反射層１２が設けられた領域を視認する。これにより、映像観察者Ｐ１は、映像表示機能付き照明装置１による再帰性反射により、通常のスクリーンへの投影に対して数１０〜数１００倍程度に相当する明るさで映像を視認できる。このため、照明光１ａに対して充分な明るさで、映像表示機能付き照明装置１のスクリーン１１表面に投影された映像を大画面で観察できる。
【００７１】
これに対し、非観察者Ｐ２といった他の位置や他の方向から見上げても、単なる照明装置（シーリングライト）にしか見えない。また、プロジェクタ２からの投影光２ａは、再帰性反射により周囲への散乱が抑えられる。更に、投影光２ａは、光量としても照明光１ａに比べて充分に小さくできるため、映像の明暗が変化しても、寝室内の照度や色合いの変化は少ない。また、映像観察者Ｐ１の視野全体に対する照度と色合いに関しては、映像の周辺に映像表示機能付き照明装置１自体の光があるため、映像の明暗の変化による影響が緩和される。
【００７２】
以上のように第４実施形態として示した映像表示システムによれば、上述した第１実施形態の効果に加え、プロジェクタ２の位置と、ハーフミラー１５の位置及び向きを変更することにより、映像の映像観賞可能範囲１００を変化させることができる。
【００７３】
［第５実施形態］
つぎに、第５実施形態に係る映像表示システムについて説明する。なお、上述の実施形態と同様の部分については同一符号を付することによりその詳細な説明を省略する。
【００７４】
第５実施形態として示す映像表示システムは、図１１に示すように、スクリーン１１の第１面（光源３側の面）に、拡散板１６を設けたものである。また、第５実施形態として示す映像表示システムは、第４実施形態と同様に、映像角度変更部として、ハーフミラー１５を備えている。
【００７５】
このような映像表示システムにおいて、プロジェクタ２から発せられた投影光２ａは、ハーフミラー１５により映像表示機能付き照明装置１側に反射され、スクリーン１１に入射する。そして、投影光２ａは、再帰性反射層１２により再帰性反射される。ここで、投影光２ａには、光源３から発せられた照明光１ａが混合される。この照明光１ａは、拡散板１６により拡散されて、投影光２ａに混合される。これにより、投影光２ａには、喩え光源３からの照明光１ａに配光性があったりスポット的に照度が高い部分があっても、当該照明光１ａの影響を受けることがない。したがって、映像表示システムは、投影光２ａに対して照明光１ａの影響があることにより映像観察者Ｐ１が見る映像に影響がでることを回避できる。
【００７６】
以上のように第５実施形態として示した映像表示システムによれば、上述した第１実施形態の効果に加え、光源３から発せられる照明光１ａを拡散する拡散板１６を備えるので、照明光１ａが映像に影響を与えることはない。
【００７７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００７８】
例えば、上述したスクリーン１１は、曲面形状のものを例示したが、これに限らず、表面に再帰性反射材料を用いていれば、シャンデリアのような複雑な形状であっても良い。このようなスクリーン１１の構成であっても、映像観察者Ｐ１に提示する映像は、投影した映像の内容が充分に認識される程度に、映像歪みや輝度ムラの影響は軽微となる。
【符号の説明】
【００７９】
１  照明装置
１ａ  照明光
２  プロジェクタ
２ａ  投影光
３  光源
１１  スクリーン
１２  再帰性反射層
１２ａ  マイクロプリズム
１２ｂ  マイクロビーズ
１２ｃ  反射膜
１３  異方性拡散板
１４  変角板
１５  ハーフミラー
１６  拡散板
２１  映像データ記憶部
２２  表示制御部
３１  照明変更部
【図１】
0005427549.tif 000002
【図２】
0005427549.tif 000003
【図３】
0005427549.tif 000004
【図４】
0005427549.tif 000005
【図５】
0005427549.tif 000006
【図６】
0005427549.tif 000007
【図７】
0005427549.tif 000008
【図８】
0005427549.tif 000009
【図９】
0005427549.tif 000010
【図１０】
0005427549.tif 000011
【図１１】
0005427549.tif 000012